(57)【特許請求の範囲】
【請求項１】
バッテリーに接続されるバッテリー側バスバーと、外部接続手段を介して負荷に接続される負荷側バスバーと、前記バッテリー側バスバー及び前記負荷側バスバーの各バスバー端部同士間に介在するとともに定格以上の電流が流れた時に可溶体が溶断する可溶体部と、を有する可溶体一体型バスバーと、
前記バッテリー側バスバー及び前記負荷側バスバーの各所定部分を覆う絶縁性ケースと、を含むヒュージブルリンクユニットにおいて、
前記可溶体部を形成する可溶体部形成面に対し前記バッテリー側バスバーにおけるバスバー端部および前記負荷側バスバーにおけるバスバー端部が略直交方向に向くよう、前記バッテリー側バスバー及び前記負荷側バスバーを配置するとともに、前記バッテリー側バスバーを略Ｌ字状に曲げてバッテリー側バスバー本体を前記可溶体部形成面に対し略平行に配置し、
前記可溶体一体型バスバーの垂直方向の長さは、前記バッテリー側バスバーにおける前記バスバー端部の長さと前記負荷側バスバーの長さの和からなる
ことを特徴とするヒュージブルリンクユニット。
【請求項２】
請求項１に記載のヒュージブルリンクユニットにおいて、
バッテリーポストを有するバッテリー上面と該バッテリー上面に対し直交方向のバッテリー側面とに接触するような略Ｌ字状の形状に形成する
ことを特徴とするヒュージブルリンクユニット。
【発明の詳細な説明】
【技術分野】
【０００１】
本発明は、主に自動車等の車両に搭載されるバッテリーに直接接続されて主電源回路を保護するヒュージブルリンクユニットに関する。
【背景技術】
【０００２】
下記特許文献１には、従来のヒュージブルリンクユニットの技術が開示されている。従来のヒュージブルリンクユニットは、バッテリーに接続されるバッテリー側バスバーと、外部接続手段を介して負荷に接続される負荷側バスバーと、バッテリー側バスバー及び負荷側バスバー間に介在して定格以上の電流が流れた時に溶断する可溶体を備える可溶体部と、バッテリー側バスバー及び負荷側バスバーの各所定部分を覆う絶縁性ケースと、を含んで構成されている。
【０００３】
従来のヒュージブルリンクユニットは、バッテリーポストが存在するバッテリー上面と、このバッテリー上面に対し直交方向のバッテリー側面とに跨るように、略Ｌ字状の形状に形成されている。可溶体部及び負荷側バスバーは、バッテリー側面に対向する側に配設されている。
【先行技術文献】
【特許文献】
【０００４】
【特許文献１】特開２００９−５６９９２号公報  （第５図）
【発明の概要】
【発明が解決しようとする課題】
【０００５】
可溶体部は、ヒュージブルリンクの汎用性を考慮して多種の定格設定ができるよう、比較的大きな寸法で形成スペースが確保されている。従って、ヒュージブルリンクユニットの小型化を図る場合、具体的にはバッテリー側面に対向する側の部分の延在方向に沿って小型化を図る場合、この小型化が上記形成スペースのために困難になってしまうという問題点を有している。尚、多種の定格設定ができることを犠牲にすれば上記方向の小型化を図ることは可能であるが、反面、ヒュージブルリンクの汎用性が失われてしまうことになる。
【０００６】
本発明は、上記した事情に鑑みてなされたもので、多種の定格設定が可能であるとともに小型化を図ることも可能なヒュージブルリンクユニットを提供することを課題とする。
【課題を解決するための手段】
【０００７】
上記課題を解決するためになされた請求項１記載の本発明のヒュージブルリンクユニットは、バッテリーに接続されるバッテリー側バスバーと、外部接続手段を介して負荷に接続される負荷側バスバーと、前記バッテリー側バスバー及び前記負荷側バスバーの各バスバー端部同士間に介在するとともに定格以上の電流が流れた時に可溶体が溶断する可溶体部と、を有する可溶体一体型バスバーと、前記バッテリー側バスバー及び前記負荷側バスバーの各所定部分を覆う絶縁性ケースと、を含むヒュージブルリンクユニットにおいて、前記可溶体部を形成する可溶体部形成面に対し前記バッテリー側バスバーにおけるバスバー端部および前記負荷側バスバーにおけるバスバー端部が略直交方向に向くよう、前記バッテリー側バスバー及び前記負荷側バスバーを配置するとともに、前記バッテリー側バスバーを略Ｌ字状に曲げてバッテリー側バスバー本体を前記可溶体部形成面に対し略平行に配置し、前記可溶体一体型バスバーの垂直方向の長さは、前記バッテリー側バスバーにおける前記バスバー端部の長さと前記負荷側バスバーの長さの和からなることを特徴とする。
【０００８】
このような特徴を有する本発明によれば、小型化を図ろうとする方向に対して略直交するような面上に多種の定格設定を可能とする可溶体部が形成される。本発明によれば、小型化に影響することのない位置に可溶体部が配設される。
【０００９】
請求項２記載の本発明のヒュージブルリンクユニットは、請求項１に記載のヒュージブルリンクユニットにおいて、バッテリーポストを有するバッテリー上面と該バッテリー上面に対し直交方向のバッテリー側面とに接触するような略Ｌ字状の形状に形成することを特徴とする。
【００１０】
このような特徴を有する本発明によれば、略Ｌ字状の形状となるヒュージブルリンクユニットになり、バッテリー上面及びバッテリー側面に接触してヒュージブルリンクユニット自体の振れを規制することが可能になる。
【発明の効果】
【００１１】
請求項１に記載された本発明によれば、多種の定格設定が可能であるとともに小型化を図ることも可能なヒュージブルリンクユニットを提供することができるという効果を奏する。
【００１２】
請求項２に記載された本発明によれば、請求項１の効果の他に、耐振性の高いヒュージブルリンクユニットを提供することができるという効果も奏する。
【図面の簡単な説明】
【００１３】
【図１】本発明のヒュージブルリンクユニットを示す斜視図である。
【図２】図１のヒュージブルリンクの図であり、（ａ）は平面図、（ｂ）は正面図、（ｃ）は側面図である。
【図３】可溶体一体型バスバーの図であり、（ａ）は斜視図、（ｂ）は側面図である。
【図４】比較例の図であり、（ａ）はヒュージブルリンクの斜視図、（ｂ）は可溶体一体型バスバーの斜視図である。
【発明を実施するための形態】
【００１４】
可溶体部を形成する可溶体部形成面に対し各バスバー端部が略直交方向に向くよう、バッテリー側バスバー及び負荷側バスバーを配置する。また、バッテリー側バスバーを略Ｌ字状に曲げてバッテリー側バスバー本体を可溶体部形成面に対し略平行に配置する。つまり、小型化を図ろうとする方向に対して略直交する面上に多種の定格設定を可能とする可溶体部を形成する。
【実施例】
【００１５】
以下、図面を参照しながら実施例を説明する。図１は本発明のヒュージブルリンクユニットを示す斜視図であり、図２は平面図、正面図、及び側面図である。また、図３は可溶体一体型バスバーの斜視図及び側面図、図４は比較例の図である。
【００１６】
図１及び図２において、本発明のヒュージブルリンクユニット１は、導電性を有する可溶体一体型バスバー２と、絶縁性を有する合成樹脂製の絶縁ケース３とをインサート成形してなるものであって、例えば車載用のバッテリー（図示省略）に直接接続されて主電源回路（図示省略）を保護することができるようになっている。ヒュージブルリンクユニット１は、バッテリーポスト（図示省略）が存在するバッテリー上面（図示省略）と、このバッテリー上面に対し直交方向のバッテリー側面（図示省略）とに跨るように、略Ｌ字状の形状に形成されている（略Ｌ字状の形状に形成することにより、バッテリー上面及びバッテリー側面に接触してヒュージブルリンクユニット１自体の振れを規制することができる。つまり耐振性を高めることができる）。以下、上記の構成について説明をする。
【００１７】
図１ないし図３において（主に図３において）、可溶体一体型バスバー２は、バッテリー側バスバー４と、負荷側バスバー５と、可溶体部６とを一体に有して構成されている。可溶体部６は、バッテリー側バスバー４及び負荷側バスバー５を連結するようにこれらの間に配置されている。可溶体部６における引用符号７は、定格以上の電流が流れた時に溶断する可溶体を示している。可溶体７は公知のものが用いられている。可溶体一体型バスバー２は、導電性を有する金属板をプレス加工することにより形成されている。
【００１８】
バッテリー側バスバー４は、図示しないバッテリーターミナルを介してバッテリーポストに接続される部分であって、この接続のための貫通孔８を有するバッテリー側バスバー本体９と、可溶体部６側に位置するバスバー端部１０とを有している。バッテリー側バスバー４は、バッテリー側バスバー本体９とバスバー端部１０との境界位置で略９０゜に曲げて略Ｌ字状となる形成に形成されている。バッテリー側バスバー本体９は、平板となる形状に形成されている。このバッテリー側バスバー本体９が存在する面を水平方向の面とすると、バスバー端部１０は垂直方向の面に存在するように配置されている。バッテリー側バスバー本体９の長手方向の長さは、バスバー端部１０の長さに比べて十分に長い長さに設定されている。
【００１９】
負荷側バスバー５は、外部接続手段を介して図示しない負荷に接続される部分であって、平板となる形状に形成されている。負荷側バスバー５の略中央には、スタッドボルト１１を突出させるための貫通孔１２が形成されている。尚、上記外部接続手段としては、例えば、端末に端子金具を設けてなる電線・ケーブルが一例として挙げられるものとする。この他、図示形状に限らず、コネクタ接続可能な形状に形成しても良いものとする。引用符号１３は、負荷側バスバー５におけるバスバー端部を示している。このバスバー端部１３は、可溶体部６側に配置されている。
【００２０】
可溶体部６は、バッテリー側バスバー４のバスバー端部１０と、負荷側バスバー５のバスバー端部１３との間に介在する部分であって、この可溶体部６を形成する（可溶体部６が存在する）可溶体部形成面１４は、各バスバー端部１０、１３が存在する上記垂直方向の面に対して略直交、且つ、バッテリー側バスバー本体９が存在する上記水平方向の面に対して略平行に配置されている。このような配置の可溶体部６は、ヒュージブルリンク（ヒュージブルリンクユニット１）の汎用性を考慮して多種の定格設定ができるように比較的大きな寸法Ｌ４で形成スペースが確保されている。
【００２１】
図１及び図２において、絶縁ケース３は、バッテリー側バスバー４の所定部分を覆うバッテリー側ケース１５と、可溶体部６の所定部分を覆う可溶体部ケース１６と、負荷側バスバー５の所定部分を覆う負荷側ケース１７とを有して構成されている。可溶体部ケース１６は、可溶体７を収容しており、本形態においては状態が分かるように透明に形成されている。
【００２２】
ここで、図４を参照しながら比較例について説明をする。尚、説明の中で、水平方向の面や垂直方向の面は、図１や図３の場合と同じであるものとする。
【００２３】
図４において、比較例としてのヒュージブルリンクユニット１０１は、可溶体一体型バスバー１０２と、絶縁ケース１０３とを含んで構成されている。可溶体一体型バスバー１０２は、バッテリー側バスバー１０４と、負荷側バスバー１０５と、これらの間に介在する可溶体部１０６を有するように構成されている。
【００２４】
バッテリー側バスバー１０４は、バッテリー側バスバー本体１０７と、バスバー端部１０８とを有して略Ｌ字状となる形成に形成されている。バッテリー側バスバー本体１０７は水平方向の面側に、バスバー端部１０８は垂直方向の面側に配置されている。垂直方向の面側には、可溶体部１０６及び負荷側バスバー１０５も配置されている。引用符号１０９は、負荷側バスバー１０６におけるバスバー端部を示している。また、引用符号１１０は可溶体を示している。
【００２５】
絶縁ケース１０３は、バッテリー側バスバー１０４の所定部分を覆うバッテリー側ケース１１１と、可溶体部１０６の所定部分を覆う可溶体部ケース１１２と、負荷側バスバー１０５の所定部分を覆う負荷側ケース１１３とを有して構成されている。
【００２６】
比較例としてのヒュージブルリンクユニット１０１は、可溶体一体型バスバー１０２に関し、この垂直方向の長さＬ１１が、バスバー端部１０８の長さＬ１２と、可溶体部１０６の長さＬ１３と、バスバー端部１０９を含む負荷側バスバー１０６の長さＬ１４との合計で設定されている。
【００２７】
これに対し、図３に示すように、本発明に係る可溶体一体型バスバー２の垂直方向の長さＬ１は、バスバー端部１０の長さＬ２と、バスバー端部１３を含む負荷側バスバー５の長さＬ３との合計で設定されている。従って、Ｌ２＝Ｌ１２、Ｌ３＝Ｌ１４とすると、垂直方向の長さＬ１は比較例の可溶体一体型バスバー１０２の長さＬ１１よりもＬ１３の長さ分だけ短くなっている（Ｌ１＜Ｌ１１）。つまり、本発明は、ヒュージブルリンクユニット１の小型化（垂直方向の小型化）を図ることができるようになっている（見方を変えスタッドボルト１１の位置を基準とすれば、バッテリー側バスバー４の位置を下げて小型化を図ることができるようになっている）。本発明は、小型化をする方向に係り、比較的大きな寸法Ｌ４となる可溶体部６の形成スペースは影響しないようになっている。
【００２８】
以上、図１ないし図４を参照しながら説明してきたように、本発明によれば、多種の定格設定が可能であるとともに小型化を図ることも可能なヒュージブルリンクユニット１を提供することができるという効果を奏する。
【００２９】
この他、本発明によれば、可溶体一体型バスバー２の形状により、可溶体部６（可溶体７）の視認性が向上するという効果を奏する。
【００３０】
本発明は本発明の主旨を変えない範囲で種々変更実施可能なことは勿論である。
【符号の説明】
【００３１】
１…ヒュージブルリンクユニット
２…可溶体一体型バスバー
３…絶縁ケース
４…バッテリー側バスバー
５…負荷側バスバー
６…可溶体部
７…可溶体
８…貫通孔
９…バッテリー側バスバー本体
１０…バスバー端部
１１…スタッドボルト
１２…貫通孔
１３…バスバー端部
１４…可溶体部形成面
１５…バッテリー側ケース
１６…可溶体部ケース
１７…負荷側ケース
【図１】
0005514498.tif 000002
【図２】
0005514498.tif 000003
【図３】
0005514498.tif 000004
【図４】
0005514498.tif 000005